(57)【要約】【課題】  吸口体の横移動時には幅の狭い隙間を掃除できるとともに、吸口体の前進操作時には、前のめり現象が起きにくくすることができる。【解決手段】  回動中心軸と吸口本体の底面との距離は、回動中心軸と吸口本体の前面との距離より短く、第２接続管の中心線を吸口本体の底面と略垂直となるように第１接続管を回動させた状態での当該吸口体の側面投影において、第２接続管の中心線が吸口本体の前後幅内に位置するとともに、第２接続管の中心線を吸口本体の底面と略水平となるように第１接続管を回動させた状態での当該吸口体の側面投影において、第２接続管の中心線が吸口本体の高さより低い。【選択図】図１０
2016016040.tif 000002
【特許請求の範囲】
【請求項１】
被清掃面を摺擦する摺擦部材を有する回転清掃体と塵埃を吸い込むための吸込口とを底面に備えた吸口本体と、該吸口本体と連通する吸口継手と、を有し、
前記吸口継手は、第１接続管と第２接続管とから構成され、
前記第１接続管の長手方向の一端は、回動中心軸を中心に、前記吸口本体に対して回動自在に連結し、
前記第１接続管の長手方向の他端は、回動軸を介して、前記第２接続管の一端に対して回動自在に連結され、
前記回動中心軸の軸方向は、前記吸口本体の長手方向に略平行であり、前記回動軸の軸方向は、前記回動中心軸の軸方向と略垂直であり、
前記回動中心軸と前記吸口本体の底面との距離は、前記回動中心軸と前記吸口本体の前面との距離より短く、
前記第２接続管の中心線を前記吸口本体の底面と略垂直となるように前記第１接続管を回動させた状態での当該吸口体の側面投影において、前記第２接続管の中心線が前記吸口本体の前後幅内に位置するとともに、
前記第２接続管の中心線を前記吸口本体の底面と略水平となるように前記第１接続管を回動させた状態での当該吸口体の側面投影において、前記第２接続管の中心線が前記吸口本体の高さより低いことを特徴とする電気掃除機の吸口体。
【請求項２】
前記第２接続管の中心線を前記吸口本体の底面と略垂直となるように前記第１接続管を回動させた状態での当該吸口体の側面投影において、前記第２接続管の中心線が前記回転清掃体の回転中心軸と、前記回動中心軸との間に位置することを特徴とする請求項１に記載の電気掃除機の吸口体。
【請求項３】
前記第２接続管の中心線を前記吸口本体の底面と略垂直となるように前記第１接続管を回動させた状態での当該吸口体の側面投影において、前記第２接続管の中心線と前記回動中心軸との距離が、前記第２接続管の中心線と前記吸口本体の前面との距離より短いことを特徴とする請求項１に記載の電気掃除機の吸口体。
【請求項４】
前記第２回動軸部は、略円形の摺動部を有することを特徴とする請求項１に記載の電気掃除機。
【請求項５】
吸引力を発生する電動送風機と塵埃を集塵する集塵部と、前記吸口本体を延長管に連結し、該延長管を介して伝達される手元ハンドルの動きに対して前記吸口本体の底面を床面に接するように動作するとともに、前記吸口本体から吸込んだ塵埃を含んだ空気流を前記延長管に導くように連通する前記吸口継手とで構成したことを特徴とする請求項１乃至４の何れか１項に記載の電気掃除機。
【発明の詳細な説明】
【技術分野】
【０００１】
本発明は、電気掃除機の吸口体およびそれを備えた電気掃除機に関する。
【背景技術】
【０００２】
本技術分野の背景技術として、特許第３４５７５４１号公報（特許文献１）がある。この公報には、被掃除面に向かって開口する吸込口を有する本体ケースと、前記吸込口からの吸込気流が通る第１気流路を有し前記吸込口の長手方向と平行な回動軸の周りに回動可能に前記本体ケースに連結される第１パイプと、第１気流路と連通する第２気流路を有し第１パイプに回動可能に連結される第２パイプとを備え、第１、第２気流路を側面投影において略一直線上に配するとともに、第２パイプの回動軸を第１気流路に対して略垂直とし、第１パイプの回動に伴って前記本体ケースと摺動する第１パイプの摺動部を平面投影において略長方形の前記本体ケースの内側に配設して第１パイプを奥行方向に傾斜可能とし、第２パイプを回動することにより前記吸込口の長手方向に傾斜可能にした吸込口体（以下、吸口体）が提案されている。この吸口体は、第１パイプを立直させた時に本体ケースの奥行き方向の幅以内のスペースに吸口体が収まるようになっており、幅の狭い隙間を掃除できるようになっている。
【先行技術文献】
【特許文献】
【０００３】
【特許文献１】特許第３４５７５４１号公報
【発明の概要】
【発明が解決しようとする課題】
【０００４】
しかしながら特許文献１に記載の吸口体は、第１パイプの回動軸を前記本体ケースの奥行方向の略中央となるようにしているため、吸口体を前に押した際に前のめり現象が生じてしまう恐れがある。この前のめりとは、吸口体の前進操作時に、床面との接触抵抗により、吸口体前端を回転中心にして吸口体の後方が持ち上がり、床面に対し吸口体の底面が斜めになってしまう現象である。
【０００５】
本発明は、幅の狭い隙間を掃除できるようにするとともに、吸口体の前進操作時には、前のめり現象が起こりにくい電気掃除機の吸口体およびそれを用いた電気掃除機を提供することを目的とする。
【課題を解決するための手段】
【０００６】
本発明は、被清掃面を摺擦する摺擦部材を有する回転清掃体と塵埃を吸い込むための吸込口とを底面に備えた吸口本体と、該吸口本体と連通する吸口継手と、を有し、前記吸口継手は、第１接続管と第２接続管とから構成され、
前記第１接続管の長手方向の一端は、回動中心軸を中心に、前記吸口本体に対して回動自在に連結し、前記第１接続管の長手方向の他端は、回動軸を介して、前記第２接続管の一端に対して回動自在に連結され、前記回動中心軸の軸方向は、前記吸口本体の長手方向に略平行であり、前記回動軸の軸方向は、前記回動中心軸の軸方向と略垂直であり、前記回動中心軸と前記吸口本体の底面との距離は、前記回動中心軸と前記吸口本体の前面との距離より短く、前記第２接続管の中心線を前記吸口本体の底面と略垂直となるように前記第１接続管を回動させた状態での当該吸口体の側面投影において、前記第２接続管の中心線が前記吸口本体の前後幅内に位置するとともに、前記第２接続管の中心線を前記吸口本体の底面と略水平となるように前記第１接続管を回動させた状態での当該吸口体の側面投影において、前記第２接続管の中心線が前記吸口本体の高さより低いことを特徴とする。
【発明の効果】
【０００７】
本発明によれば、幅の狭い隙間を掃除できるとともに、吸口体の前進操作時には、前のめり現象が起こりにくい電気掃除機の吸口体およびそれを用いた電気掃除機を提供することができる。
【図面の簡単な説明】
【０００８】
【図１】本発明の第１実施形態に係る電気掃除機の全体を示す外観斜視図である。
【図２】吸口体の上面図である。
【図３】吸口体の底面図である。
【図４】図２のＣ−Ｃ断面図である。
【図５】吸口継手の分解図である。
【図６】家具の隙間の幅の狭い箇所を掃除する様子を表した図である。
【図７】吸口前進時の前のめり現象を表した図である。
【図８】吸口体の側面図で、前のめりモーメントを示した図である。
【図９】第２接続管を床面に対して略水平にした状態での図２のＡ−Ａ断面図である。
【図１０】第２接続管を床面に対して略垂直にした状態での図２のＢ−Ｂ断面図である。
【発明を実施するための形態】
【０００９】
以下、本発明に係る実施形態例について適宜図面を参照して説明する。
【００１０】
図１に示すように、電気掃除機１は、掃除機本体２と、ホース部３と接続し手元操作スイッチＳＷ等が設けられた操作管４と、伸縮自在に設けられた延長管５と、吸口体６とで構成されている。
【００１１】
掃除機本体２は、吸引力を発生させる電動送風機２ａ、この電動送風機２ａの吸引力で集塵した塵埃を収容する集塵部２ｂなどを備えている。なお、本実施形態例では、いわゆるサイクロン式の電気掃除機を例に挙げて説明するが、いわゆる紙パック式の電気掃除機に適用してもよい。
【００１２】
ホース部３の一端は、掃除機本体２の集塵部２ｂと連通するように掃除機本体２の接続口２ｃに接続されている。また、ホース部３の他端は、操作管４の一端に接続されている。
【００１３】
操作管４は、手元操作スイッチＳＷなどを備えたハンドル４ａ、掃除機本体２から給電される図示しない給電端子などを備えている。この給電端子には、延長管５の一端に設けられる図示しない通電端子が接続される。
【００１４】
操作管４の手元操作スイッチＳＷを操作することによって、電動送風機２ａの運転・停止・強中弱の切り替え、・吸口体６に設けられた回転清掃体の入り切り等が可能となっている。
【００１５】
延長管５は、外管５ａと内管５ｂとを備え、外管５ａの他端部に内管５ｂの一端部が挿入されている。さらに外管５ａと内管５ｂとの内側に設けられた図示しない通風路が連通するように連結されて、伸縮自在に構成されている。なお、図１は、延長管５が外管５ａに内管５ｂが挿入された最短の状態を図示している。
【００１６】
図２は、吸口体６の上面図である。
【００１７】
図２に示すように、吸口体６は、上から見て略Ｔ字形状を呈する吸口ケース１０と、吸口ケース１０に連結される吸口継手１３とを備えている。
【００１８】
吸口ケース１０は、上から見て、左右方向（幅方向、後述する第１回転清掃体２０の回転軸方向）に細長く形成された吸口本体１１と、吸口本体１１の長手方向の中央部に吸口継手１３と連結される連結部１２とを備えている。連結部１２には、吸口本体１１と吸口継手１３とを連通させる流路Ｒ（図３参照）が形成されている。
【００１９】
吸口本体１１には、前端面から左右側面にかけてバンパ１１ａが設けられている。バンパ１１ａは、ゴムやエラストマー等の弾性材料から形成されており、使用時に吸口本体１１内の気密を保持するとともに、電気掃除機１（図１参照）の使用時に吸口本体１１が家具等に衝突した際に、当該家具等の傷付きを防止するとともに、吸口本体１１への衝撃を吸収する緩衝材の役割を果たしている。
【００２０】
吸口継手１３は、連結部１２に対して回動自在に連結される第１接続管１４と、この第１接続管１４に対して回動自在に連結される第２接続管１５とを備えている。
【００２１】
また、第２接続管１５には、給電が行われる給電端子１５ａが設けられている。なお、本実施形態例の電気掃除機１（図１参照）では、吸口体６に給電する電力を、掃除機本体２からホース部３、操作管４、延長管５を通じて供給するように構成されている。
【００２２】
図３は、吸口体の底面図である。
【００２３】
図３に示すように、吸口体６は、第１回転清掃体２０、２個の第２回転清掃体３０を備えている。吸口ケース１０（吸口本体１１）には、底面（清掃面に対峙する面）に、開口部を有する吸込室Ｑが形成されている。
【００２４】
第１回転清掃体２０は、吸口本体１１の長手方向（左右方向）に沿って、連結部１２の前側に配置され、吸口本体１１に回転可能に支持されている。
【００２５】
また、第１回転清掃体２０は、線径や密度や硬さが異なる刷毛体や弾性体などの複数種類のブラシ２０ａ、２０ｂ、２０ｃを備え、各ブラシ２０ａ、２０ｂ、２０ｃが回転軸２１に対してらせん状に配設されている。なお、本実施形態例では、３種類のブラシ２０ａ、２０ｂ、２０ｃを配設した場合を例に挙げて説明したが、これに限定されるものではなく、２種類以下であってもよく、４種類以上であってもよく、らせん状に配置されたブラシ間にゴムやエラストマーなどの弾性材料からなるブレード部材をらせん状に配置する構成を追加してもよく、適宜変更することができる。
【００２６】
第２回転清掃体３０は、第１回転清掃体２０の直径よりも小径の起毛布３０ｂ（図４参照）を有し、第１回転清掃体２０の後方に配置されるとともに、第１回転清掃体２０の回転軸方向（吸口本体１１の長手方向）の左右方向にそれぞれ配置されている。換言すると、第２回転清掃体３０は、流路Ｒを挟んだ両側に設けられている。例えば、一つの第２回転清掃体３０は、第１回転清掃体２０の直径の略二分の一の直径、第１回転清掃体２０の軸方向の長さの略三分の一の長さで構成されている。
【００２７】
なお、吸口ケース１０には、ブラシ駆動スイッチ１６と車輪１７が設けられている。ブラシ駆動スイッチ１６は、吸口体６の底面（もしくは車輪１７）が清掃面に接触しているか否かを検出するスイッチである。ブラシ駆動スイッチ１６は、車輪１６ａを備え、この車輪１６ａがばね等の付勢手段によって常に吸口ケース１０の底面から突出するように設けられている。そして、車輪１６ａが飛び出して床面と接触していないと検出されたときには、図示していない第１回転清掃体２０の駆動用電動機への給電が停止される。また、車輪１６ａが押し込まれて床面と接触していると検出されたときには、第１回転清掃体２０の駆動用電動機への給電が行われる。
【００２８】
車輪１７は、操作管４で操作される前後操作や、回転操作の応力を受けて吸口体６の底面を清掃面に密着させ、かつ操作抵抗を低下させる役割を有している。
【００２９】
図４は、図２のＣ−Ｃ断面で第２回転清掃体３０付近の拡大図である。
【００３０】
第２回転清掃体３０は、パイプ体３０ｅの外側に微細繊維で形成されたカットパイル状の起毛布３０ｂが螺旋状に巻かれている。シャフト３０ａとパイプ体３０ｅは略同心円で隙間を有しており、これによりパイプ体３０ｅおよび起毛布３０ｂは、シャフト３０ａに回転可能に支持されている。このように、第２回転清掃体３０を電動機で駆動させるのではなく、シャフト３０ａを介して吸口本体１１に支持させることにより、第２回転清掃体３０の構成を簡略化することができる。そしてこの起毛布３０ｂの微細繊維はパイプ体３０ｅに対し円周方向に傾斜している。この起毛布３０ｂの先端は、吸口本体１１の内側に設けられた断面形状が略三角形状の突起３５ａ、３５ｂ、３５ｃに接触する様に刷毛高さを設定している。これにより、回転方向Ｗ２には、摩擦抵抗が小さくほぼ自由に回転するが、回転方向Ｗ３には、摩擦抵抗が大きくほぼロック状態となる。
【００３１】
さらに詳しく説明すると、第２回転清掃体３０の回転駆動力は、起毛布３０ｂと床面Ｍとの摩擦力であり、第２回転清掃体３０の回転制動力は、起毛布３０ｂと突起３５ａ、３５ｂ、３５ｃとの摩擦力である。起毛布３０ｂの微細繊維はパイプ体３０ｅに対し円周方向に傾斜しており、その傾斜の方向は、起毛布３０ｂが床面に接する位置にて、吸口体６の前方から後方向きである。このため、吸口体６を前進させる時は、起毛布３０ｂと床面Ｍとの摩擦力すなわち第２回転清掃体３０の回転駆動力は小さくなり、起毛布３０ｂと突起３５ａ、３５ｂ、３５ｃとの摩擦力すなわち第２回転清掃体３０の回転制動力は大きくなり、第２回転清掃体３０の回転駆動力に比べ回転制動力が大きいため、第２回転清掃体３０の回転は規制される。逆に吸口体６を後退させる時は、起毛布３０ｂと床面Ｍとの摩擦力すなわち第２回転清掃体３０の回転駆動力は大きくなり、起毛布３０ｂと突起３５ａ、３５ｂ、３５ｃとの摩擦力すなわち第２回転清掃体３０の回転制動力は小さくなり、第２回転清掃体３０の回転駆動力に比べ回転制動力が小さい第２回転清掃体３０は回転する。
【００３２】
これにより、吸口体６を後退させたときに（吸口体６を後方に引いたときに）、第２回転清掃体３０が床面Ｍとの接触抵抗により回転することで、吸口本体１１の後方の塵埃を吸込室Ｑ内に吸い込むことができる。
【００３３】
また、吸口体６を前進させたときに（吸口体６を前方へ押したときに）、第２回転清掃体３０の回転が規制されるため、第１回転清掃体２０によって吸込室Ｑ内に掻き込まれた塵埃が、吸口本体１１の後方に掃き出されるのを防止することができる。
【００３４】
図５は、吸口継手１３の分解図である。
【００３５】
吸口継手１３は、連結部１２に対して回動自在に連結される第１接続管１４と、この第１接続管１４に対して回動自在に連結される第２接続管１５とを備えている。
【００３６】
第１接続管１４は、連結部１２と連結される一部開口した流路を有する円筒形状の軸部（第１回転軸部）１４ａを有している。軸部１４ａは、軸方向が吸口本体１１の長手方向であって、軸部１４ａの両端部が連結部１２に形成された軸受部１２ｇ（図１０参照）に支持されている。また、第１接続管１４は、床面（清掃面）に対して略平行な状態から略垂直な状態まで（上下方向に）、回動中心軸１４ｂを中心に回動可能となるように構成されている。すなわち、第１接続管１４を吸口ケース１０に対して軸部１４ａを支点として回動させることによって、延長管５を床面に略平行な状態と略垂直な状態との間において回動させることができる。
【００３７】
第１接続管１４の長手方向の一端は、回動中心軸１４ｂを中心に、吸口本体１１に対して回動自在に連結する。換言すると、第１接続管１４の長手方向の一端は、軸部（第１回動軸部）１４ａを介して、吸口本体１１に対して回動自在に連結する。軸部（第１回動軸部）１４ａの回動軸方向（回動中心軸１４ｂの軸方向）は、吸口本体１１の長手方向と略平行である。
【００３８】
さらに、第１接続管１４の略円形の摺動部１４ｃと第２接続管１５の略円形の摺動部１５ｅが接することにより、回動軸１５ｄを中心に、第１接続管１４に対して第２接続管１５がどの角度に回動しても、気密が保たれる。第１接続管１４と第２接続管１５は、継手カバー１５ｂと継手押さえ１５ｃにより挟み込まれることにより、回動自在に連結される。
【００３９】
これにより、第２接続管１５は、第１接続管１４に対して長手方向に（図２の紙面時計回り方向および反時計回り方向に）回動可能となる。
【００４０】
第１接続管１４の長手方向の他端は、回動軸１５ｄを中心に、第２接続管１５の一端に対して回動自在に連結される。換言すると、第１接続管１４の長手方向の他端は、第２回動軸部を介して、第２接続管１５の一端に対して回動自在に連結される。回動軸１５ｄの軸方向は、軸部１４ａの回動軸方向（回動中心軸１４ｂの軸方向）と略垂直である。
【００４１】
このような吸口継手１３は、例えば延長管５（図１参照）を床面に対して略垂直とした状態において、その延長管５を左右方向（長手方向）に倒すことができる。これにより、操作管４（ハンドル４ａ）を時計回りあるいは反時計回りにねじると、吸口本体１１が時計回りあるいは反時計回りのいずれかに略９０度回動し、吸口本体１１の長手方向を移動方向にした掃除が可能となる。したがって、壁際に沿って吸口体６を移動させて掃除したり、図６に示す様に、家具４０と家具４１間の狭い隙間に吸口体６を挿入したりして掃除することができる。
【００４２】
この時、出来るだけ狭い隙間に吸口体６を挿入して掃除するためには、吸口継手１３も含めた吸口体６の前後幅Ｄを狭くする必要がある。そのためには、第１接続管１４の回動中心軸１４ｂを吸口体６の出来るだけ前方に設けることが重要であるが、単純に前方に設けると図７に示すような、吸口体６の前のめり現象が生じてしまう恐れがある。この前のめりとは、吸口体６の前進操作時に、床面Ｍとの接触抵抗により、吸口体前端を回動中心にして吸口体の後方が持ち上がり、床面に対し吸口体６の底面が斜めになってしまう現象である。特に床面が毛足の長いじゅうたんの場合に発生し易くなる。
【００４３】
この前のめり現象について、図８を用いて詳しく説明する。第１接続管１４と床面Ｍとの角度をθとすると、延長管５を介して吸口体６を押す力Ｆは、床面Ｍに水平な成分Ｆ１（＝Ｆcosθ）と床面Ｍに垂直な成分Ｆ２（＝Ｆsinθ）とに分解できる。吸口体６前端と床面との交点６ａと第１接続管１４の回動中心軸１４ｂとの水平距離をＬａ、垂直距離をＨとすると、前のめりモーメントは、前のめり方向をプラスとすると、Ｆ１×Ｈ−Ｆ２×Ｌａで表される。つまり、水平距離Ｌａを短くすると、前のめりモーメントは大きくなる。そのため、前のめり現象の発生を抑えるためには、水平距離Ｌａよりも垂直距離Ｈを短くする必要がある。換言すると、回動中心軸１４ｂと吸口体６の底面との垂直距離Ｈは、回動中心軸１４ｂと吸口体６の前面との水平距離Ｌａより短い。
【００４４】
図９は、図２において、第２接続管１５を床面Ｍに対して略水平にした状態でのＡ−Ａ断面図である。
【００４５】
図９において、１３ａは吸込室Ｑから第２接続管１５へ至る流路の中心線、１５ｆは第２接続管１５の延長管５に接続される側の前後幅の中心線、Ｈｃは中心線１５ｆの床面Ｍからの高さ、６ｂは吸口継手１３も含めた吸口体６の高さ、６ｃは吸口ケース１０の高さを示す。
【００４６】
中心線１３ａは、第１接続管１４と第２接続管１５の摺動面１３ｂを回動軸１５ｄ方向に横切ったのち、再度摺動面１３ｂに近付く様になっている。換言すると第２接続管１５内の流路は、下から上へ向かう第１の曲がり流路１５ｇと、上から下へ向かう第２の曲がり流路１５ｈとを有しており、このことによりＨｃは６ｃより低くすることができる。第２接続管１５内の流路を吸口体６側から順に、下から上へ向かう第１の曲がり流路１５ｇ、上から下へ向う第２の曲がり流路１５ｈとしたことにより、回動中心軸１４ｂを吸口体６における低い部分に持ってくることができ、これにより回動中心軸１４ｂの垂直距離Ｈを低くすることができる。更に、第１の曲がり流路１５ｇの先を上から下へ向かう第２の曲がり流路１５ｈとしたことにより、吸口体６の高さ６ｂを低くすることができる
換言すると、第２接続管１５を床面に対して略水平にした状態での吸口体６の側面投影において、中心線１５ｆと吸口体６の底面との距離Ｈｃは、吸口本体１０の高さ６ｃよりも短いことにより、吸口体６の垂直方向の高さを低くすることができる。  また、第１の曲がり流路１５ｇと第２の曲がり流路１５ｈの内壁は滑らかに接続されており、流路をながれる風の乱れによる騒音の発生を抑えている。
【００４７】
さらに、ベッドの下のように高さの低い場所を清掃する際には、第２接続管１５を床面Ｍに対して略水平にした状態、すなわち延長管５を床面Ｍに対して略水平にした状態での清掃作業になるが、このとき、図８で説明した様に、延長管５の床面Ｍとの角度θが小さくなるため、前のめりモーメントは大きくなる。しかし、水平距離Ｌａよりも垂直距離Ｈを短くしているため、延長管５を床面Ｍに対して略水平にした状態での清掃作業でも前のめり現象が発生しにくく、ベッドの下のように高さの低い場所の清掃が容易になる。
【００４８】
図１０は、図２において、第２接続管１５を床面Ｍに対して略垂直にした状態でのＢ−Ｂ断面図である。
【００４９】
図１０において、１５ｆは第２接続管１５の延長管５に接続される側の中心線、Ｌａは回動中心軸１４ｂの吸口体６の前端からの水平距離、Ｌｂは第１回転清掃体２０の回転軸２１の吸口体６の前端からの水平距離、Ｌｃは中心線１５ｆの吸口体６の前端からの水平距離、Ｄａは中心線Ｌａと回動中心軸１４ｂとの水平距離、Ｄは吸口継手１３も含めた吸口体６の前後幅である。
【００５０】
このとき、中心線１５ｆは、吸口体６の前後幅であるＤの内側に位置しているため、吸口継手１３の側面投影前後幅を吸口体６の前後幅Ｄよりも短くすることができる。
【００５１】
さらに、水平距離Ｌｃを水平距離Ｌａより短く、かつ水平距離Ｌｂより長くする。言い換えると、第２接続管１５を床面Ｍに対して略垂直にした状態での吸口体の側面投影において、中心線１５ｆは、第１回転清掃体２０の回転軸２１と、第１接続管１４の回動中心軸１４ｂとの間に位置することにより、前後幅Ｄを短くすることができる。
【００５２】
さらに、水平距離Ｄａを距離Ｌｃより短くすることにより、前後幅Ｄをさらに短くすることができる。これにより、家具と家具間等のより狭い隙間に吸口体６を挿入して掃除することが可能になる。
【００５３】
以上述べたように本形態例によれば、本発明によれば、吸口体前後幅を狭くできるので、幅の狭い隙間を掃除できるとともに、吸口体の前進操作時には、前のめり現象を起こりにくくすることができる。また、吸口体の高さを低くできるので、高さの低い場所を掃除できるという効果もある。
【００５４】
また、本実施形態例では、第１回転清掃体と、これを回転駆動する電動機を用いる場合を説明したが、掃除機本体２の電動送風機２ａによって発生する吸引力を用いて第１回転清掃体を駆動しても同様の効果が得られる。
【００５５】
また、本実施形態例では、掃除機本体と操作管がホース部で接続された床移動式の掃除機について述べてきたが、縦に長い掃除機本体の底面に吸口体があり、本体の上部に付いた操作管で操作を行う縦型掃除機においても同様の効果が得られる。
【符号の説明】
【００５６】
１        電気掃除機
２        掃除機本体
２ａ      電動送風機
２ｂ      集塵部
６        吸口体
１０      吸口ケース
１１      吸口本体
２０      第１回転清掃体
３０      第２回転清掃体
２１      第１回転清掃体の回転軸
３０ｂ    起毛布
３５ａ、３５ｂ、３５ｃ  突起
Ｍ        床面（清掃面）
Ｑ        吸込室
１３      吸口継手
１４      第１接続管
１５      第２接続管
【図１】
2016016040.tif 000003
【図２】
2016016040.tif 000004
【図３】
2016016040.tif 000005
【図４】
2016016040.tif 000006
【図５】
2016016040.tif 000007
【図６】
2016016040.tif 000008
【図７】
2016016040.tif 000009
【図８】
2016016040.tif 000010
【図９】
2016016040.tif 000011
【図１０】
2016016040.tif 000012